(57)【要約】【課題】簡便にマスクとしても機能するタオルを提供する。【解決手段】本考案に係るタオル１０は、タオル本体１と、スリット状の穴部２とを備えている。そして、タオル１０は、顔周辺に巻き付けて使用することで、マスクとして機能するものである。スリット状の穴部２は、タオル本体１の対角に位置する隅部に２つ設けられている。タオル１０では、顔周辺に巻き付けた際に、穴部２内に、当該穴部２と同一辺側の隅部を挿通することにより、顔周辺にタオル１０を固定するよう構成されている。【選択図】図１
0003229357.tif 000002
【実用新案登録請求の範囲】
【請求項１】
顔周辺に巻き付けて使用可能なタオルであって、
略長方形のタオル本体と、
前記タオル本体の４つの隅部の少なくとも１つにスリット状の穴部とを備え、
前記穴部の長さＬが２０〜４０ｍｍであるタオル。
【請求項２】
前記スリット状の穴部は、前記タオル本体の対角に位置する前記隅部に２つ設けられている請求項１に記載のタオル。
【請求項３】
前記スリット状の穴部は、前記タオル本体の同一辺側に位置する前記隅部に２つ設けられている請求項１又は２に記載のタオル。
【請求項４】
前記スリット状の穴部の長手方向は、前記タオル本体の長手方向と略平行である請求項１〜３のいずれか一項に記載のタオル。
【考案の詳細な説明】
【技術分野】
【０００１】
本考案は、タオルに関する。
【背景技術】
【０００２】
近年、健康への意識が高く、ウォーキングやジョギングといった体を動かす習慣が定着してきている。そして、運動後に、汗を拭き取ったり等の様々な状況においてタオルが用いられている。
【０００３】
このようなタオルとしては、１枚のタオルで、タオル以外の種々の用途に利用可能なタオルが知られており（例えば、特許文献１）、中には、タオルをマスクとして用いるものも知られている（例えば、特許文献２参照）。
【先行技術文献】
【特許文献】
【０００４】
【特許文献１】実用新案登録第３１８８５９７号
【特許文献２】特開２０１１−２１７８０２号公報
【考案の概要】
【考案が解決しようとする課題】
【０００５】
しかしながら、従来のタオルでは、マスクとして使用する場合には、後頭部で結び目を作って口の周りを保護するが、タオル生地は結び目を作りにくく、作れても簡単にほぐれてしまう問題があった。
近年、新型コロナウィルスやインフルエンザなどが流行し、広くマスクの需要が高まっており、簡便にマスクとしても用いることが可能なタオルの開発が求められている。
【０００６】
そこで、本考案は、簡便にマスクとしても機能するタオルを提供することを目的とする。
【課題を解決するための手段】
【０００７】
本考案は、顔周辺に巻き付けて使用可能なタオルであって、
略長方形のタオル本体と、
前記タオル本体の４つの隅部の少なくとも１つにスリット状の穴部とを備え、
前記穴部の長さＬが２０〜４０ｍｍであるものである。
【０００８】
このようなタオルにおいて、前記スリット状の穴部は、前記タオル本体の対角に位置する前記隅部に２つ設けられているものでもよい。
【０００９】
また、タオルにおいて、前記スリット状の穴部は、前記タオル本体の同一辺側に位置する前記隅部に２つ設けられているものでもよい。
【００１０】
このようなタオルにおいて、前記スリット状の穴部の長手方向は、前記タオル本体の長手方向と略平行であることが好ましい。
【考案の効果】
【００１１】
本考案によれば、簡便にマスクとしても機能するタオルを提供することができる。
【図面の簡単な説明】
【００１２】
【図１】本考案の一実施形態に係るタオルの構成を示す平面図である。
【図２】図１に示すタオルを顔に巻き付けた状態を示す図である。
【図３】本考案の他の実施形態に係るタオルの構成を示す平面図である。
【図４】本考案の他の実施形態に係るタオルの構成を示す平面図である。
【考案を実施するための形態】
【００１３】
以下、本考案に係るタオルの好適な実施形態について説明する。
図１は、本考案の一実施形態に係るタオルの構成を示す平面図、図２は、図１に示すタオルを顔に巻き付けた状態を示す図である。
本実施形態のタオル１０は、図１に示すように、タオル本体１と、スリット状の穴部２とを備えている。そして、タオル１０は、図２に示すように、顔周辺に巻き付けて使用することで、マスクとして機能するものである。
【００１４】
タオル本体１は、略長方形をなしており、タオルに適した生地で構成されている。
タオル本体１を構成する生地としては、パイル地、シャーリング地、表ガーゼ織地、朱子織地、ワッフル織地、無撚糸地、マイクロファイバー等を用いることができる。また、冷感を呈する生地を使用してもよい。ここで冷感を呈する生地とは、肌が触れた際に肌の熱を生地に素早く移動させることができる熱伝導率や熱拡散率が高い生地（接触冷感に優れる生地）や、肌の汗を吸い取ったり、水に浸したりして生地に水分を含ませ、その水分を素早く蒸発させて気化熱を急速に奪うことができる生地を意味する。また、上記生地のうちから、表生地用、裏生地用等に分けて選択することもできる。
なお、タオル本体１には、表裏が有ってもよいし、無くてもよい。
【００１５】
タオル本体１の長手方向の長さは、特に限定されないが、７０ｃｍ以上であることが好ましく、８０ｃｍ以上であることがより好ましい。
また、タオル本体１の厚みは、特に限定されないが、０．１〜３ｍｍであることが好ましく、０．５〜２ｍｍであることがより好ましい。
【００１６】
本実施形態において、スリット状の穴部２は、図１に示すように、タオル本体１の対角に位置する隅部に２つ設けられている。
このようなタオル１０では、図２に示すように、顔周辺に巻き付けた際に、穴部２内に、当該穴部２と同一辺側の隅部を挿通することにより、顔周辺にタオル１０を固定するよう構成されている。
【００１７】
本実施形態において、穴部２の長手方向は、タオル本体１の長手方向と略平行となるよう構成されている。
穴部２の長さＬ（図1中に示す長さＬ）は、２０〜４０ｍｍとなっている。なお、穴部２の長さＬは、３０〜３８ｍｍであることが好ましく、３３〜３５ｍｍであることがより好ましい。穴部２の長さが前記下限値未満であると、穴部２に隅部を挿通するのが困難となる場合がある。また、穴部２の長さが前記上限値を超えると、穴部２に隅部を挿通した後に、穴部２内に隅部が十分に固定されず、顔周辺に巻き付けたタオル１０が顔から脱着してしまう場合がある。
【００１８】
このようなタオル１０では、図２に示すように、装着者から見て、左側の隅部を穴部２に挿通して使用してもよいし、右側の隅部を穴部２に挿通して使用してもよい。
このような構成のタオル１０によれば、タオルとしての機能だけでなく、簡単な操作でマスクとしても機能させることができ、また右利きの者でも左利きの者でもマスクとして簡単に装着することができる。
【００１９】
以上、本考案のタオルについて具体的な実施形態に基づいて説明したが、本考案のタオルは、これまでに述べた実施形態に限定されるものではなく、実用新案登録請求の範囲に従う範疇で種々の変更を加えたものも含まれる。
【００２０】
例えば、前述した実施形態では、穴部２がタオル本体１の対角に位置する隅部に２つ設けられている場合について説明したが、同一辺側に位置する隅部に２つ設けられていてもよい。すなわち、穴部２は、図３に示すように同一長辺側に位置する隅部に２つ設けられていてもよいし、図４に示すように同一短辺側に位置する隅部に２つ設けられていてもよい。
【００２１】
また、前述した実施形態では、穴部２が２つ設けられている場合について説明したが、穴部２は、タオル本体１の４つの隅部の内の１つだけに設けられていてもよいし、４つの隅部の内の３つに設けられていてもよいし、４つの隅部の内の全部に設けられていてもよい。
【００２２】
また、前述した実施形態では、穴部２の長手方向がタオル本体１の長手方向と略平行となるよう構成されている場合について説明したが、これに限定されず、穴部２の長手方向は、タオル本体１の長手方向と交わる方向に傾いていてもよく、傾く方向は、右下がりでも左下がりでもよい。
【符号の説明】
【００２３】
１                タオル本体
２                穴部
１０              タオル
【図１】
0003229357.tif 000003
【図２】
0003229357.tif 000004
【図３】
0003229357.tif 000005
【図４】
0003229357.tif 000006